(57)【要約】【課題】隅部に支柱を配置することなく、且つ隅部に於ける笠木部材の自重に起因する当該笠木部材の曲げ変形を抑制することができる手摺隅部構造を提供する。【解決手段】出隅又は入隅となる隅部を形成するＬ字状のコーナー役物笠木１２と、コーナー役物笠木１２を下方より覆う平板状の板部材１０と、隅部から離間位置に立設されて板部材１０を支持する一対の支柱１と、を備えると共に、板部材１０の上部には、支柱１の上方を通過した状態で板部材１０に連結される長尺状の補強部材１１が設けられており、コーナー役物笠木１２は、支柱１の上端部から隅部側又は隅部とは反対側に離間した位置で補強部材１１の端部に被さった状態で板部材１０に連結されている。【選択図】    図１
2010196336.tif 000002
【特許請求の範囲】
【請求項１】
出隅又は入隅となる隅部を形成するＬ字状のコーナー役物笠木と、
該コーナー役物笠木を下方より覆う平板状の板部材と、
前記隅部から離間位置に立設されて前記板部材を支持する一対の支柱と、を備えると共に、
前記板部材の上部には、前記支柱の上方を通過した状態で板部材に連結される長尺状の補強部材が設けられており、前記コーナー役物笠木は、前記支柱の上端部から離間した位置で前記補強部材の端部に被さった状態で前記板部材に連結されていることを特徴とする手摺隅部構造。
【請求項２】
コーナー役物笠木の先端部は、隅部からみて支柱の手前となる位置まで延設されると共に、前記支柱上方を通過して延設される中間笠木に連結されており、前記コーナー役物笠木と前記中間笠木は、前記隅部と支柱との間で前記補強部材に被さった状態で前記板部材に連結されていることを特徴とする請求項１に記載の手摺隅部構造。
【請求項３】
コーナー役物笠木の先端部は、隅部からみて支柱の上方を通過する位置まで延設されると共に、前記支柱から離間する方向に延設される中間笠木に連結されており、前記コーナー役物笠木と前記中間笠木とは、前記隅部からみて前記支柱よりも以遠となる位置で前記補強部材に被さった状態で前記板部材に連結されていることを特徴とする請求項１に記載の手摺隅部構造。
【発明の詳細な説明】
【技術分野】
【０００１】
本発明は、バルコニーや屋上に設ける手摺や柵の出隅又は入隅となる隅部を構成する手摺隅部構造に関する。
【背景技術】
【０００２】
建物のベランダや屋上或いは階段に手摺を取り付ける場合、柵状に立設した支柱の頂部に笠木部材を固定するのが一般的である。笠木部材としては、筒状に成形された単一部材からなるもの、基板或いは底板とカバーとを含む複数部材からなるもの、等があり、適宜選択されて採用される。そして、このような笠木部材を支柱の頂部に固定する場合、笠木部材に対応した固定部材を支柱に固定しておき、この固定部材に笠木部材を固定するように構成されるのが一般的である。
【０００３】
ベランダや屋上に構成された出隅又は入隅となる隅部（コーナー部）に取り付けられる手摺の場合、コーナー部に支柱を立設しておき、この支柱に二方向の笠木部材を固定する固定部材を固定し、この固定部材を介して一方向から延びる笠木部材と、他方向から延びる笠木部材を所定角度で連結させることによってコーナー部を構成している（例えば特許文献１参照）。
【０００４】
これに対し、例えばベランダパラペットを形成する外壁の割付に支柱の配置を揃える観点、部材数削減の観点、意匠性向上の観点等によりコーナー部に支柱を立設しない構造も知られている。例えば特許文献２に記載された手摺隅部では、隅部に隅部金具を配置しておき、この隅部金具を介して二方向の笠木部材同士を連結することで、当該笠木部材が宙に浮いた状態で保持されている。前記二方向に配置された笠木部材の他方の端部は、夫々隅部を挟んで配置された一対の支柱の頂部にねじ等を利用して固定されている。
【先行技術文献】
【特許文献】
【０００５】
【特許文献１】特開２００１−０４０８４９号公報
【特許文献２】特開２００４−０１９１３７号公報
【発明の概要】
【発明が解決しようとする課題】
【０００６】
特許文献１に記載された技術では、コーナー部に支柱が立設され、この支柱と隣接する支柱との間に手摺が構成されることから、笠木部材は両端支持構造となり、安定した姿勢を保持することができる。しかし、外壁の割付に支柱の配置を揃えるという観点、或いは部材数を削減するという観点、更に意匠的な観点に立った場合、コーナー部に支柱を立設させる特許文献１の構造は有利とはいえない。
【０００７】
特許文献２に記載された技術では、隅部には支柱が配置されないため、特許文献１に於ける前述の問題を回避することができる。また、この手摺隅部では、隅部の二方向に配置された笠木部材は、一方側の端部が互いに連結されて宙に浮いた状態で保持され、他方側の端部が隅部を挟んで配置された支柱に支持されるため、笠木部材は片持ち支持構造となる。このため、片持ち梁状の部分の重量が過大であったり、夫々の方向に配置された笠木部材を支持する支柱と隅部との間隔が長大であったりすると、固定部材により連結されて隅部を形成している笠木部材の端部が垂れ下がり、見栄えが悪化する虞がある。
【０００８】
特に、笠木部材の端部が支柱の頂部にねじ等によって取り付けられているような場合、笠木部材の自重や自由端側に作用する荷重によって、笠木部材は支柱との接合部位を起点として容易に回動、即ち、隅部側が垂れ下がってしまうことになる。
【０００９】
本発明の目的は、隅部に支柱を配置することなく、且つ隅部に於ける笠木部材の自重に起因する当該笠木部材の曲げ変形を抑制することができる手摺隅部構造を提供することにある。
【課題を解決するための手段】
【００１０】
上記課題を解決するために本発明に係る手摺隅部構造は、出隅又は入隅となる隅部を形成するＬ字状のコーナー役物笠木と、該コーナー役物笠木を下方より覆う平板状の板部材と、前記隅部から離間位置に立設されて前記板部材を支持する一対の支柱と、を備えると共に、前記板部材の上部には、前記支柱の上方を通過した状態で板部材に連結される長尺状の補強部材が設けられており、前記コーナー役物笠木は、前記支柱の上端部から離間した位置で前記補強部材の端部に被さった状態で前記板部材に連結されているものである。
【００１１】
上記手摺隅部構造に於いて、コーナー役物笠木の先端部は、隅部からみて支柱の手前となる位置まで延設されると共に、前記支柱上方を通過して延設される中間笠木に連結されており、前記コーナー役物笠木と前記中間笠木は、前記隅部と支柱との間で前記補強部材に被さった状態で前記板部材に連結されていることが好ましい。
【００１２】
また上記手摺隅部構造に於いて、コーナー役物笠木の先端部は、隅部からみて支柱の上方を通過する位置まで延設されると共に、前記支柱から離間する方向に延設される中間笠木に連結されており、前記コーナー役物笠木と前記中間笠木とは、前記隅部からみて前記支柱よりも以遠となる位置で前記補強部材に被さった状態で前記板部材に連結されていることが好ましい。
【発明の効果】
【００１３】
請求項１に係る手摺隅部構造では、隅部に配置されるコーナー役物笠木は板部材と補強部材を介して支柱に方持ち梁状に支持されることとなり、これによって支柱に支持される板部材に当該コーナー役物笠木の自重に起因する反力が作用する。しかし、コーナー役物笠木の端部が支柱に支持されているわけではないので、当該コーナー役物笠木に反力が作用する虞はなく、当該反力に起因するコーナー役物笠木の曲げや変形が抑制されることとなる。また、反力が作用する板部材も補強部材に連結されており、当該補強部材も反力を負担することとなり、これによって、板部材に作用する反力も抑制され、板部材の曲げや変形も防止されることとなる。
【００１４】
また、請求項２に係る手摺隅部構造では、コーナー役物笠木には上述の如き反力は付与されることとはならず、当該反力に起因するコーナー役物笠木の変形を略完全に防止することができる。
【００１５】
また、請求項３に係る手摺隅部構造では、コーナー役物笠木は支柱を跨って架設されることとなり、該コーナー役物笠木にも反力が作用することとなる。しかし、上述の如く支柱を跨いで架設されているので、当該支柱上端部に端部を設けたコーナー役物笠木よりも当該支柱上方となる位置に作用するモーメントは小さく、これによって、コーナー役物笠木の変形は抑制されることとなるのである。
【図面の簡単な説明】
【００１６】
【図１】第１実施例に係る手摺隅部構造を説明する展開図である。
【図２】第１実施例に係る手摺隅部構造を説明する要部の説明図である。
【図３】板部材と補強部材と支柱との関係を説明する図である。
【図４】第２実施例に係る手摺隅部構造を模式的に説明する図である。
【発明を実施するための形態】
【００１７】
本発明に係る手摺隅部構造は、出隅又は入隅の隅部に支柱を配置することなく構成するものであり、片持ち支持構造となる笠木が自由端側で垂れ下がることで生じる曲げ変形の如き変形を抑制し得るように構成したものである。
【００１８】
本発明に於いて、手摺の隅部にはＬ字状に構成されたコーナー役物笠木が配置される。このコーナー役物笠木は、手摺の隅部分に対応して配置される接続部材を有しており、この接続部材を介して二方向の笠木部材を接続することでＬ字状に形成されている。コーナー役物笠木は、隅部から該隅部を挟んで配置された一対の支柱までの距離に対し、小さいか又は大きい寸法を持って形成されている。
【００１９】
コーナー役物笠木の下方を覆う板部材は、単にコーナー役物笠木の下方を覆うことのみを目的として構成されていても良く、手摺を構成するパネルの上部枠として構成されていても良い。コーナー役物笠木の下方を覆う二方向の板部材どうしが、自由端で如何なる構造で接続されるかは限定するものではないが、支柱側の端部が該支柱に固定されることで支持される。そして、支柱に支持された板部材にコーナー役物笠木が連結される。
【００２０】
補強部材は長尺状に形成されており、支柱の上方を通過した状態で配置されると共に、支柱に支持されている板部材に連結される。即ち、補強部材は支柱に連結されることはなく板部材にのみ連結される。また補強部材は、必ずしも長手方向の中央が支柱の上端部に対応するものではなく、コーナー役物笠木の端部と支柱との位置関係に対応して偏心した状態で配置される。この補強部材の長さは、コーナー役物笠木の長さとの関連しており、該コーナー役物笠木を隅部に対応させて配置したときの端部と充分に重なり合うような長さを有している。
【００２１】
従って、本発明の手摺隅部構造は、隅部から離間した位置に支柱が配置されており、この支柱に隅部側に配置される板部材及び隅部側とは反対側に配置される板部材からなる二つの板部材が支持される。そして、支柱に支持された二つの板部材の上部を跨ぐように補強部材が配置されて夫々の板部材に連結される。また、コーナー役物笠木は隅部側に配置された板部材の上方に対向して配置され、端部が支柱よりも隅部側に位置するか又は端部が支柱を越えて隅部の反対側に位置し、この配置状態で板部材に連結される。更に、コーナー役物笠木の端部の位置に対応する長さを持った中間笠木が板部材の上方に配置され、該中間笠木の端部が、既に板部材に連結されているコーナー役物笠木の端部に対向した状態で、板部材に連結される。
【実施例】
【００２２】
先ず、第１実施例に係る手摺隅部構造について図１〜図３により説明する。本実施例は、例えばベランダの出隅として構成されており、この隅部から離隔した位置に一対の支柱１、１が立設され、更に、支柱１から所定距離離隔した位置にも支柱１が立設されている。各支柱１は、下端部分が建物の躯体に固定され上端側が露出した支柱補助具２に取り付けられることで立設している。
【００２３】
本実施例では、後述するように、Ｌ字状に形成されたコーナー役物笠木１２は、隅部から該隅部を挟んで所定距離離隔した位置に立設されている支柱１までの距離よりも大きい寸法を持って形成されている。従って、コーナー役物笠木１２の端部１２ａは支柱１の隅部側とは反対側に位置している。
【００２４】
支柱１は角パイプを利用して構成されており、頂部にはキャップ１ａが嵌合して開口部を閉鎖すると共に後述する上枠部材１０を固定するための固定片として機能している。また両側面の下方側所定位置にはブラケット１ｂが設けられており、該ブラケット１ｂは後述する下枠部材５を接続する機能を有している。
【００２５】
本実施例では、手摺を構成するために、各支柱１の間には手摺パネルＡ、Ｂが配置されている。特に、手摺パネルＡは手摺の直線状の部分を構成するためのものであり、パネル３と、パネル３の幅方向の両端部に設けられた縦枠部材４と、下端部に設けられた下枠部材５と、上端部に設けられた上枠部材１０とによって構成されている。
【００２６】
また手摺パネルＢは手摺の隅部を構成するものであり、該隅部から離隔した位置に立設された一対の支柱１に対し持ち出し梁（片持ち梁）状に取り付けられている。この手摺パネルＢも、手摺パネルＡと同様に、パネル３と、パネル３の幅方向の端部に設けられた縦枠部材４と、下端部に設けられた下枠部材５と、上端部に設けられた上枠部材１０とによって構成されている。
【００２７】
手摺パネルＢでは、幅方向の一方側の端部が夫々支柱１に支持され、他方側の端部である自由端が隅部に於いて、下枠部材５が図示しない接続部材を介して接続されると共に、上枠部材１０が接続部材６を介して接続されることで、予め設定された角度を持って互いに接続される。
【００２８】
上記手摺パネルＡ、Ｂに於いて、パネル３としてはベランダや屋上の手摺を構成するのに適したものであれば良く、材質や厚さ、幅、長さ等の仕様及びデザインを限定するものではない。即ち、パネル３は設置位置や設置目的に応じて最適な構造、デザインを有するものを適宜選択することが好ましい。
【００２９】
本実施例では、パネル３は平板状に形成されており、軽金属板からなるパネルや合成樹脂パネル等のパネルの中から、ポリカーボネイト板を採用している。このようなパネル３の端縁は、図示しないビードによって覆われている。
【００３０】
縦枠部材４は、コ字状の断面形状を有する中空の部材によって構成され、該コ字状の部分に形成された溝にパネル３の縦方向の縁部分を嵌合することで保持し得るように構成されている。
【００３１】
下枠部材５は、パネル３の下縁部を覆うことが可能な形状を持って構成されている。例えば、下枠部材５に溝を形成しておき、この溝にビードを介してパネル３の下縁部分を嵌合させて覆うことで、パネル３を保護し得るように構成されている。
【００３２】
上枠部材１０はパネル３の上縁部分を覆うことで該パネル３を保護する機能を有する。このため、上枠部材１０には下枠部材５と同様に溝を形成しておき、この溝にビードを介してパネル３の上縁部分を嵌合させて覆うことが可能なように形成されている。上枠部材１０はパネル３の幅寸法よりも大きい寸法を持って形成されており、長手方向の両端がパネル３から突出している。そして、上枠部材１０の突出した部分が支柱１或いは接続部材６に固定される。
【００３３】
本実施例に於いて、上枠部材１０は上記したパネル３を保護する機能と共に、コーナー役物笠木１２の下方を覆う板部材としての機能も付与している（以下、「上枠部材１０」又は「板部材１０」という）。このため、板部材１０は、図２、３に示すように、平板状の本体部１０ａと、本体部１０ａの幅方向の両端から立設された支持片１０ｂ及び固定片１０ｃと、を有している。
【００３４】
板部材１０を構成する支持片１０ｂの頂部には補強部材１１を嵌合して支持する支持溝１０ｄが形成され、下端側には本体部１０ａと共にコーナー役物笠木１２又は中間笠木１３を構成する笠木部材１４を嵌合する嵌合溝１０ｅが形成されている。また、固定片１０ｃの起立部分には固定面１０ｆが形成され、下端側には本体部１０ａと共にコーナー役物笠木１２又は中間笠木１３を構成する笠木部材１４を嵌合する嵌合溝１０ｇが形成されている。
【００３５】
上記の如く構成された手摺パネルＡは直列して配置された一対の支柱１の間に配置され、下枠部材５の端部が支柱１の側面に設けたブラケット１ｂに接続されると共に、上枠部材１０の突出した端部が支柱１の頂部に配置したキャップ１ａにボルトやねじ等の固定具９によって固定されることで両端が支柱１に支持される。
【００３６】
また手摺パネルＢは、二方向に配置されている下枠部材５の一方側の端部どうしを接続すると共に、上枠部材１０どうしを接続部材６を介して接続することでＬ字状に構成されている。そして、隅部を挟んで且つ該隅部から離隔した位置に配置された一対の支柱１に設けたキャップ１ａに二方向に配置された上枠部材１０の自由端を夫々固定具９によって固定すると共に、ブラケット１ｂに下枠部材５を接続することで支持される。従って、手摺パネルＢは、支柱１によって片持ち梁状に支持された構造となり、隅部が宙に浮いた状態となる。
【００３７】
支柱１に固定された手摺パネルＢの上枠部材１０となる板部材１０の上部と手摺パネルＡの上枠部材１０の上部には、該支柱１の上端を通過するようにして補強部材１１が配置されており、板部材１０、上枠部材１０と補強部材１１とが固定具９によって接続されている。即ち、補強部材１１は隅部を挟んで配置された支柱１に支持された手摺パネルＢ、Ａの板部材１０、上枠部材１０を連結している。
【００３８】
補強部材１１は、図２に示すように、中空状に成形された成形部材によって構成されており、一方の側面の上部には板部材１０の支持溝１０ｄに嵌合して係止される係止部１１ａが形成され、他方側の側面には固定面１０ｆに固定される固定面１１ｂが形成されている。また補強部材１１の内部には厚さ方向に起立片１１ｃが設けられており、この起立片１１ｃによって曲げ剛性を大きくするように構成されている。
【００３９】
また、補強部材１１は幅寸法に対し長さが充分に長い所謂長尺状に形成されている。しかし、補強部材１１の長さを限定するものではなく、実質的に長尺であれば良い。本実施例では約４７０ｍｍに設定されている。
【００４０】
補強部材１１は、長さ方向の中心が支柱１の頂部から何れかの方向にズレた位置に配置される。このズレはコーナー役物笠木１２の自由端である端部１２ａと支柱１との位置関係に対応しており、本実施例のように、端部１２ａの位置が隅部から支柱１を越えているような場合、補強部材１１の長さ方向の中心は隅部から支柱１を越えた方向に位置し、後述する第２実施例のように、端部１２ａの位置が隅部から支柱まで達していないような場合、長さ方向の中心は隅部方向に位置する。
【００４１】
本発明に於いて、コーナー役物笠木１２の端部１２ａは、支柱１の頂部から外れた位置に配置される。このため、補強部材１１の長さ方向の中心も支柱１の頂部から外れた位置に配置されることとなる。補強部材１１の支柱１に対するズレの寸法は特に限定するものではないが、本実施例では、補強部材１１の中心が支柱１の中心からコーナー役物笠木１２の端部１２ａ側に約８５ｍｍ程度ずれるように配置している。
【００４２】
上記の如く構成された補強部材１１は、長さ方向の中心を支柱１の中心に対しコーナー役物笠木１２の端部１２ａが配置される方向（本実施例では、隅部から支柱１を越えた方向）に約８５ｍｍずらした状態で配置される。そして、図３に示すように、既に支柱１に固定されている板部材１０、上枠部材１０の支持溝１０ｄに係止片１１ａを嵌合させると共に、固定面１１ｂを固定面１０ｆに対向させる。その後、固定面１０ｆ側から、例えばセルフドリルネジのような固定具９を締結することで、補強部材１１に板部材１０、上枠部材１０を接続する。
【００４３】
上記構成に於いて、支柱１の両側に取り付けられた手摺パネルＢ、Ａの板部材１０、上枠部材１０は補強部材１１を介して連結されることとなる。また、補強部材１１は支柱１に固定されることなく上部を通過していることから、固定具９を介して補強部材１１に下方への荷重或いは力が作用したとき、支柱１に拘束されることなく撓むことが可能となる。
【００４４】
コーナー役物笠木１２は、二方向に配置された笠木部材１４を接続部材６を介して接続することでＬ字状に形成され、ベランダや屋上に構成する手摺の出隅又は入隅からなる隅部の上端部分に配置されるものである。
【００４５】
コーナー役物笠木１２は隅部から該隅部を挟んで配置された支柱１までの距離よりも大きい寸法を持って形成されており、Ｌ字型の隅部を手摺の隅部に一致させて配置したとき、端部１２ａが支柱１の隅部側とは反対側に位置し得るように構成されている。
【００４６】
コーナー役物笠木１２、後述する中間笠木１３を構成する笠木部材１４は、断面が略コ字を伏せた形状に形成されており、本体部１４ａの両側に形成された垂下片１４ｂの下方側から内側に向けて夫々係止片１４ｃが形成されている。この係止片１４ｃは、手摺パネルＢの板部材１０、手摺パネルＡの上枠部材１０に形成された嵌合溝１０ｅ、１０ｇに嵌合する機能を有するものであり、この嵌合によって、板部材１０によってコーナー役物笠木１２の下方が覆われる。
【００４７】
コーナー役物笠木１２は、隅部を挟んで配置された一対の支柱１に支持されている板部材１０、上枠部材１０及び板部材１０、上枠部材１０の上部で且つ支柱１を通過して配置されている補強部材１１に沿って配置されている。そして、板部材１０、上枠部材１０の嵌合溝１０ｅ、１０ｇに対し笠木部材１４の係止片１４ｃを嵌合させることで係止されている。更に、コーナー役物笠木１２は、支柱１の上部を通過した端部１２ａ側の近傍で、手摺パネルＡを構成する上枠部材１０に対し下側から固定具９によって締結されている。
【００４８】
上記の如くして手摺パネルＡの上枠部材１０に接続されたコーナー役物笠木１２の端部１２ａに対向して中間笠木１３が配置されると共に、両者の間に笠木ジョイント１５が配置される。笠木ジョイント１５は、下端部分が上枠部材１０に設けた嵌合溝１０ｅ、１０ｇに嵌合されることで装着される。また中間笠木１３は、係止片１４ｃが手摺パネルＡの上枠部材１０に設けた嵌合溝１０ｅ、１０ｇに嵌合されると共に、コーナー役物笠木１２の端部１２ａと対向する端部側で上枠部材１０に対し下側から固定具９によって締結されている。
【００４９】
コーナー役物笠木１２、中間笠木１３を上記の如くして手摺パネルＡの上枠部材１０に締結することで、手摺の上端部分に笠木部材１４からなる笠木を構成することが可能である。
【００５０】
上記構成に於いて、コーナー役物笠木１２は手摺の隅部に配置されるものの、支柱１の隅側に配置された板部材１０とは係止片１４ｃが嵌合溝１０ｅ、１０ｇに嵌合されるのみであって、このコーナー役物笠木１２に手摺パネルＢの重量や作用する力の影響を受けることがなく、自重のみが作用することになる。
【００５１】
特に、本実施例では、コーナー役物笠木１２の自重は、係止片１４ｃと上枠部材１０、板部材１０と接触によってこれらの部材１０に伝えられると共に、固定具９を介して両端が支柱１によって支持された手摺パネルＡの上枠部材１０に伝えられる。更に、上枠部材１０が支柱１に拘束されることのない補強部材１１によって補強されていることから、コーナー役物笠木１２は上枠部材１０、板部材１０及び補強部材１１に拘束されることとなる。このため、コーナー役物笠木１２の隅部に対応する自由端の下方への変形が抑制される。
【００５２】
尚、図１に於ける符号１６は、手摺パネルＡ、Ｂの下枠部材５の下部カバーである。
【００５３】
次に、図４により第２実施例に係る手摺隅部構造について説明する。尚、図に於いて前述の第１実施例と同一部分及び同一の機能を有する部分には同一の符号を付して説明を省略する。
【００５４】
本実施例に於いて、手摺パネルＡ、Ｂは前述の第１実施例とは異なり、下枠部材５と上枠部材１０との間に略等間隔に複数の手摺子２１を配置すると共に上下両端部を下枠部材５、上枠部材１０に例えば図示しないねじによって締結することで固定し、或いは溶接によって固定することで構成されている。
【００５５】
コーナー役物笠木１２は、隅部から該隅部を挟んで配置された支柱１までの距離よりも小さい寸法を持って形成されており、該コーナー役物笠木１２を隅部に配置したとき、端部１２ａは支柱１よりも隅部側に位置する。
【００５６】
このため、補強部材１１は長さ方向の中心が支柱１の中心から隅部側に約８５ｍｍずれた状態で配置され、既に支柱１に固定されている板部材１０、上枠部材１０の支持溝１０ｄに係止片１１ａを嵌合させると共に、固定面１１ｂを固定面１０ｆに対向させる。その後、固定面１０ｆ側から、例えばセルフドリルネジのような固定具９を締結することで、補強部材１１に板部材１０、上枠部材１０を接続する。
【００５７】
またコーナー役物笠木１２は、隅部を挟んで配置された一対の支柱１に支持されている板部材１０及び板部材１０、上枠部材１０の上部で且つ支柱１を通過して配置されている補強部材１１に沿って配置される。そして、板部材１０の嵌合溝１０ｅ、１０ｇに対し笠木部材１４の係止片１４ｃを嵌合させることで係止される。更に、コーナー役物笠木１２は、支柱１の隅部側に位置する端部１２ａ側の近傍で、手摺パネルＢを構成する板部材１０に対し下側から固定具９によって締結されている。
【００５８】
上記の如くして手摺パネルＢの板部材１０に接続されたコーナー役物笠木１２の端部１２ａに対向して支柱１の上部を通過した中間笠木１３が配置されると共に、両者の間に笠木ジョイント１５が配置される。笠木ジョイント１５は、下端部分が板部材１０に設けた嵌合溝１０ｅ、１０ｇに嵌合されることで装着される。また中間笠木１３は、係止片１４ｃが手摺パネルＢ、Ａの板部材１０、上枠部材１０に設けた嵌合溝１０ｅ、１０ｇに嵌合されると共に、コーナー役物笠木１２の端部１２ａと対向する隅部側で板部材１０に対し下側から固定具９によって締結されている。
【００５９】
上記構成に於いて、コーナー役物笠木１２は手摺の隅部に配置され、支柱１の隅側に配置された板部材１０とは係止片１４ｃが嵌合溝１０ｅ、１０ｇに嵌合されると共に固定具９によって締結される。このため、コーナー役物笠木１２の自重は、支柱１に支持された手摺パネルＢの板部材１０との接触面、及び固定部９を介して板部材１０に伝えられる。
【００６０】
上記板部材１０が支柱１に拘束されることなく該支柱１の上部を通過して配置された補強部材１１によって補強されていることから、板部材１０に作用するコーナー役物笠木１２の自重は、板部材１０と補強部材１１に対し曲げ力として伝えられる。この板部材１０と補強部材１１からなる梁の曲げ剛性は、板部材１０単独の曲げ剛性と比較して大きくなり、コーナー役物笠木１２の隅部に対応する自由端の下方への変形が抑制される。
【００６１】
特に、補強部材１１は支柱１の両側に配置されている手摺パネルＢの板部材１０、手摺パネルＡの上枠部材１０に接続されている。このため、補強部材１１の隅部側にコーナー役物笠木１２の自重が作用した場合でも、上枠部材１０との固定部位で拘束されることになる。従って、補強部材１１は支柱１を起点として折れ曲がるような変形をすることがなく、緩い曲線状に変形する。このため、コーナー役物笠木１２の隅部に対応する自由端の下方への変形が抑制される。
【産業上の利用可能性】
【００６２】
本発明に係る手摺隅部構造はベランダや屋上に構成する手摺や柵の出隅、入隅等の隅部に利用することが可能であり、隅部に支柱が配置されることのない高い意匠性を発揮する手摺を構成することが可能となる。
【符号の説明】
【００６３】
Ａ、Ｂ              手摺パネル
１                  支柱
１ａ                キャップ
１ｂ                ブラケット
２                  支柱補助具
３                  パネル
４                  縦枠部材
５                  下枠部材
６                  接続部材
９                  固定具
１０                板部材、上枠部材
１０ａ              本体部
１０ｂ              支持片
１０ｃ              固定片
１０ｄ              支持溝
１０ｅ、１０ｇ      嵌合溝
１０ｆ              固定面
１１                補強部材
１１ａ              係止部
１１ｂ              固定面
１１ｃ              起立片
１２                コーナー役物笠木
１２ａ              端部
１３                中間笠木
１４                笠木部材
１４ａ              本体部
１４ｂ              垂下片
１４ｃ              係止片
１５                笠木ジョイント
１６                下部カバー
２１                手摺子
【図１】
2010196336.tif 000003
【図２】
2010196336.tif 000004
【図３】
2010196336.tif 000005
【図４】
2010196336.tif 000006